(57)【要約】  【課題】  アスファルトプラントにて製造・出荷される製品を出荷先の舗装現場に納品する際の納品管理に伴う作業を簡略化して手間を軽減できるように図る。  【解決手段】  製品の出荷時に発行される納品伝票を電子化してＷｅｂサーバ機能を有するコンピュータ本体５に記憶格納すると共に、このコンピュータ本体５へのＵＲＬ情報が記録された第一、第二のＱＲコード１３、１４を発行する。搬送車両１０の運転手は携帯端末２０にて第一のＱＲコード１３を読み取って第二のＱＲコード１４を取得し、舗装現場９の現場管理者１９が携帯端末２１にて運転手の携帯端末２０に表示される第二のＱＲコード１４を読み取ることにより、電子納品伝票１１と納品確認用の認証コード１５´とを取得する。そして、この認証コード１５´を運転手の携帯端末１９に入力・記憶させ、帰着した運転手は前記コンピュータ本体５に認証コード１５´を入力・照合して納品確認を行う。【選択図】  図１
2013045171.tif 000002
【特許請求の範囲】
【請求項１】
アスファルトプラントにてアスファルト混合物を製造・出荷したときに発行される納品伝票を電子化してＷｅｂサーバに記憶格納すると共に、該ＷｅｂサーバへのＵＲＬ情報が記録された第一のＱＲコードを発行し、アスファルト混合物を出荷先の舗装現場へ搬送する搬送車両の運転手は携帯端末にて前記第一のＱＲコードを読み取ってＷｅｂサーバ内の電子納品伝票とＷｅｂサーバへのＵＲＬ情報が記録された第二のＱＲコードとを取得する一方、出荷先の舗装現場では現場管理者は携帯端末にて運転手の携帯端末に表示される第二のＱＲコードを読み取ってＷｅｂサーバ内の電子納品伝票と納品確認用の認証コードとを取得し、かつ該認証コードを運転手の携帯端末に入力して記憶させると共に、出荷を終えてプラントに帰着した運転手が携帯端末に記憶させた前記認証コードをＷｅｂサーバに入力すると、Ｗｅｂサーバでは認証コードの照合を行って納品確認をするようにしたことを特徴とするアスファルト混合物の納品管理方法。
【請求項２】
請求項１記載のアスファルト混合物の納品管理方法において、アスファルト混合物を製造・出荷したときに材料の計量実績データも併せてＷｅｂサーバに記憶格納しておき、出荷先の舗装現場にて現場管理者が運転手の携帯端末に表示される第二のＱＲコードを読み取ると、Ｗｅｂサーバ内の計量実績データを参照可能なようにしたことを特徴とするアスファルト混合物の納品管理方法。
【請求項３】
請求項１または２記載のアスファルト混合物の納品管理方法において、運転手が携帯端末にて第一のＱＲコードを読み取ると、出荷先の舗装現場への案内用地図データも併せて取得するようにしたことを特徴とするアスファルト混合物の納品管理方法。
【発明の詳細な説明】
【技術分野】
【０００１】
本発明は、アスファルト混合物を製造するアスファルトプラントにて製造・出荷した製品を出荷先の舗装現場に納品する際の納品管理方法に関する。
【背景技術】
【０００２】
従来、アスファルト混合物製造工場では、購入者からの注文を基に製品であるアスファルト混合物の製造・出荷スケジュールを立て、このスケジュールに基づいて工場内のアスファルトプラントにて製品を製造した後、トラック等の搬送車両に順次払い出して出荷先の各舗装現場へ向けて出荷を行っている。このとき、出荷した製品に関する骨材配合値等の諸データが記載された納品伝票がその都度発行され、搬送車両の運転手はこの納品伝票を携えて出荷先の舗装現場まで製品を搬送して納品を行うと共に、前記納品伝票を舗装現場の現場管理者に提出し、現場管理者の受領印やサインの記された控え伝票等を受理して工場へ持ち帰ることで納品確認を行っている。
【０００３】
ところで、このような納品管理に伴う一連の作業はそれなりに手間を要して煩わしいだけでなく、製品の製造・出荷の度に発行される納品伝票や控え伝票等の保管・管理も面倒である。一方、このような納品管理に伴う作業を簡略化するにあたり、例えば、特許文献１（特開２０１１−２２６３８号公報）にて開示されているように、ＱＲコード（登録商標）を利用する方法が考えられる。
【０００４】
上記特許文献１に示される生コンクリートの品質管理方法にあっては、生コンクリート製造プラントにて製品である生コンクリートを製造・出荷する際に発行される納入書に、製品に関する計量記録や単位量等の諸データを記憶格納したＷｅｂサーバへのＵＲＬ情報が記録されたＱＲコードを印字しておき、製品の出荷先である打設現場において現場管理者が携帯端末にて前記納品書のＱＲコードを読み取ることにより、Ｗｅｂサーバ内の諸データをごく簡単に手元の端末画面に表示させて参照・確認可能としており、簡単な構成ながらも生コンクリートの品質管理を好適に行えるように図っている。なお、前記ＱＲコードは、従来のバーコード（一次元コード）などと比較してより多くの情報量を記録可能な二次元コードの一種であり、最近では携帯電話やノートパソコン等の携帯端末の多くがこれの読み取り機能を有している。
【先行技術文献】
【特許文献】
【０００５】
【特許文献１】特開２０１１−２２６３８号公報
【発明の概要】
【発明が解決しようとする課題】
【０００６】
このように、ＱＲコードとその読み取り機能を有した携帯端末とを上手く利用することにより、プラントにて製造・出荷される生コンクリートの品質管理を容易にかつ好適に行うことを可能としている。そこで、本発明者は、アスファルトプラントにて製造・出荷されるアスファルト混合物を舗装現場に納品する際の納品管理においても、上記のようにＱＲコードとその読み取り機能を有した携帯端末とを上手く利用できれば納品管理が比較的容易になり、納品伝票等の保管・管理も容易になると考えた。
【０００７】
本発明は上記の点に鑑み、アスファルトプラントにて製造・出荷されるアスファルト混合物を出荷先の舗装現場に納品する際の納品管理に伴う作業を簡略化して手間を軽減できるように図ったアスファルト混合物の納品管理方法を提供することを課題とする。
【課題を解決するための手段】
【０００８】
上記の課題を解決するために、本発明に係る請求項１記載のアスファルト混合物の納品管理方法では、アスファルトプラントにてアスファルト混合物を製造・出荷したときに発行される納品伝票を電子化してＷｅｂサーバに記憶格納すると共に、該ＷｅｂサーバへのＵＲＬ情報が記録された第一のＱＲコードを発行し、アスファルト混合物を出荷先の舗装現場へ搬送する搬送車両の運転手は携帯端末にて前記第一のＱＲコードを読み取ってＷｅｂサーバ内の電子納品伝票とＷｅｂサーバへのＵＲＬ情報が記録された第二のＱＲコードとを取得する一方、出荷先の舗装現場では現場管理者は携帯端末にて運転手の携帯端末に表示される第二のＱＲコードを読み取ってＷｅｂサーバ内の電子納品伝票と納品確認用の認証コードとを取得し、かつ該認証コードを運転手の携帯端末に入力して記憶させると共に、出荷を終えてプラントに帰着した運転手が携帯端末に記憶させた前記認証コードをＷｅｂサーバに入力すると、Ｗｅｂサーバでは認証コードの照合を行って納品確認をするようにしたことを特徴としている。
【０００９】
また、請求項２記載のアスファルト混合物の納品管理方法では、アスファルト混合物を製造・出荷したときに材料の計量実績データも併せてＷｅｂサーバに記憶格納しておき、出荷先の舗装現場にて現場管理者が運転手の携帯端末に表示される第二のＱＲコードを読み取ると、Ｗｅｂサーバ内の計量実績データを参照可能なようにしたことを特徴としている。
【００１０】
また、請求項３記載のアスファルト混合物の納品管理方法では、運転手が携帯端末にて第一のＱＲコードを読み取ると、出荷先の舗装現場への案内用地図データも併せて取得するようにしたことを特徴としている。
【発明の効果】
【００１１】
本発明に係る請求項１記載のアスファルト混合物の納品管理方法によれば、アスファルトプラントにてアスファルト混合物を製造・出荷したときに発行される納品伝票を電子化してＷｅｂサーバに記憶格納すると共に、該ＷｅｂサーバへのＵＲＬ情報が記録された第一のＱＲコードを発行し、アスファルト混合物を出荷先の舗装現場へ搬送する搬送車両の運転手は携帯端末にて前記第一のＱＲコードを読み取ってＷｅｂサーバ内の電子納品伝票とＷｅｂサーバへのＵＲＬ情報が記録された第二のＱＲコードとを取得する一方、出荷先の舗装現場では現場管理者は携帯端末にて運転手の携帯端末に表示される第二のＱＲコードを読み取ってＷｅｂサーバ内の電子納品伝票と納品確認用の認証コードとを取得し、かつ該認証コードを運転手の携帯端末に入力して記憶させると共に、出荷を終えてプラントに帰着した運転手が携帯端末に記憶させた前記認証コードをＷｅｂサーバに入力すると、Ｗｅｂサーバでは認証コードの照合を行って納品確認をするようにしたので、アスファルト混合物の納品管理に伴う作業を簡略化でき、プラントの製造・出荷管理者や搬送車両の運転手等の手間や負担を軽減することができる。また、納品伝票を電子データとして取り扱えて保管・管理が容易なものとなる。
【００１２】
また、請求項２記載のアスファルト混合物の納品管理方法によれば、アスファルト混合物を製造・出荷したときに材料の計量実績データも併せてＷｅｂサーバに記憶格納しておき、出荷先の舗装現場にて現場管理者が運転手の携帯端末に表示される第二のＱＲコードを読み取ると、Ｗｅｂサーバ内の計量実績データを参照可能なようにしたので、舗装現場の現場管理者は納品されるアスファルト混合物に関する計量実績データをその場で参照・確認でき、好適に製品の品質管理を行える。
【００１３】
また、請求項３記載のアスファルト混合物の納品管理方法によれば、運転手が携帯端末にて第一のＱＲコードを読み取ると、出荷先の舗装現場への案内用地図データも併せて取得するようにしたので、アスファルト混合物を出荷先の舗装現場へ迅速かつ確実に納品することが可能となり、製品の温度低下に伴う品質の低下を極力防止できる。
【図面の簡単な説明】
【００１４】
【図１】本発明に係るアスファルト混合物の納品管理方法の概略説明図１である。
【図２】本発明に係るアスファルト混合物の納品管理方法の概略説明図２である。
【発明を実施するための形態】
【００１５】
本発明に係るアスファルト混合物の納品管理方法にあっては、アスファルト混合物製造工場に設置されるアスファルトプラントにて各種材料を計量・混合してアスファルト混合物を製造・出荷した際に、プラントの出荷管理装置では、従来の紙の納品伝票に代えて電子化した電子納品伝票を発行してＷｅｂサーバに記憶格納させると共に、該Ｗｅｂサーバへインターネット回線を介してアクセスするためのＵＲＬ情報が記録された第一のＱＲコード、及び納品確認用の認証コードを発行する。また、この製造・出荷される製品に関する各種材料の計量実績データも併せて前記Ｗｅｂサーバに記憶格納させておく。
【００１６】
そして、この製造したアスファルト混合物を出荷先の舗装現場へ向けて出荷するときには、搬送車両の運転手は、少なくともＱＲコード読み取り機能とインターネット通信機能とを有する適宜の携帯端末にて前記第一のＱＲコードを読み取り、前記Ｗｅｂサーバ内の電子納品伝票と、ＷｅｂサーバへのＵＲＬ情報が記録された第二のＱＲコードとを取得し、共に携帯端末に記憶させる。
【００１７】
一方、製品の出荷先である舗装現場では、現場管理者は前記同様に各種携帯端末にて運転手の携帯端末の表示画面上に表示される第二のＱＲコードを読み取り、遠隔のＷｅｂサーバ内に記憶格納されている電子納品伝票と納品確認用の認証コード、及びこの製品に関する計量実績データ等を取得し、現場管理者の携帯端末に記憶させる。そして、必要に応じて前記計量実績データを携帯端末の表示画面上に表示させて参照するなどして、納品される製品の品質確認を行う。そして、舗装現場への製品の納品作業が完了すると、現場管理者は先程取得した前記認証コードを運転手の携帯端末に入力し、該携帯端末に納品確認用の認証コードを記憶させる。そして、納品を終えてプラントに帰着した運転手が携帯端末に記憶させた前記認証コードを出荷管理装置のＷｅｂサーバに入力操作すると、Ｗｅｂサーバでは記憶格納している認証コードと照合して納品完了の確認を行う。
【００１８】
なお、製品の出荷時に搬送車両の運転手が携帯端末にて読み込む第一のＱＲコードに、前記情報に加えて、出荷先の舗装現場までの案内用地図データ情報も記録させておけば、誤納防止となるだけでなく、出荷先の舗装現場まで極力迅速に納品可能となり、製品温度が品質や施工性等に大きく影響を及ぼすアスファルト混合物の納品において好適なものとなる。
【００１９】
このように、本発明に係るアスファルト混合物の納品管理方法によれば、アスファルトプラントにて製造・出荷されるアスファルト混合物を出荷先の舗装現場に納品する際に要する一連の作業を簡略化でき、製品の納品に携わる各作業者の手間や負担を軽減できると共に、納品伝票を電子化できて保管・管理が容易となって納品管理に係る業務効率の向上が期待できる。
【実施例】
【００２０】
以下、本発明の一実施例を図面に基づいて説明する。なお、図１では、アスファルト混合物製造工場から出荷先の舗装現場へ製品を納品するまでの一連の流れを示しており、また図２では、製品納品後に納品確認を完了するまでの一連の流れを示している。
【００２１】
図中の１は道路舗装用に用いられるアスファルト混合物を製造・出荷するアスファルト混合物製造工場であって、各種粒径の骨材を所定温度にて加熱乾燥処理するドライヤ、該ドライヤにて加熱乾燥処理した骨材や石粉、溶融アスファルト等の各種材料を貯蔵する貯蔵槽、該貯蔵槽より排出される各種材料を計量する計量器、該計量器にて計量した各種材料を混合処理するミキサ等を備えたアスファルトプラント本体２と、該プラント本体２のドライヤや貯蔵槽、計量槽、ミキサ等の各機器を操作・制御する操作盤３と、該操作盤３を介してプラント本体２に製品であるアスファルト混合物の製造・出荷を指示する出荷管理装置４等から構成している。
【００２２】
前記出荷管理装置４は、Ｗｅｂサーバ機能を有したコンピュータ本体５と、各種情報表示用の表示モニター６と、各種設定項目や情報等を入力するキーボード７、及び各種情報を印字出力するプリンタ８等から成り、前記コンピュータ本体５に内蔵される記憶部には、製品の出荷先である各アスファルト舗装現場９に対する製品の製造量や出荷時間等の製造・出荷スケジュールを設定登録し、操作盤３ではこの製造・出荷スケジュールに基づいてプラント本体２の各機器を操作・制御して製品であるアスファルト混合物を製造し、トラック等の搬送車両１０に順次払い出して各舗装現場９に向けて出荷するようにしている。
【００２３】
また、出荷管理装置４では、製品の製造・出荷時に、骨材配合値等の諸データが記載された電子納品伝票１１（例えば、ＪＰＧ形式等の画像データや、ＰＤＦファイル形式等の電子化した納品伝票）や、コンピュータ本体５にインターネット回線１２を介してアクセスするためのＵＲＬ情報が記録された第一のＱＲコード１３及び第二のＱＲコード１４、また納品確認用の、例えば数桁の英数字等からなる認証コード１５等を発行し、このうち電子納品伝票１１と、第二のＱＲコード１４、及び認証コード１５を前記コンピュータ本体５の記憶部に記憶格納するようにしている。また、製造・出荷される製品に関する各種材料の計量実績データ１６や、出荷先の舗装現場９までの案内用の地図データ１７も併せて前記コンピュータ本体５に記憶格納させるようにしている。なお、前記第一のＱＲコード１３については、前記搬送車両１０の運転手が参照できるように別途配設したモニター（図示せず）画面等に表示させるようにしておく。
【００２４】
一方、遠隔の各舗装現場９にはロードローラ等の転圧機１８を待機させるなどして、前記搬送車両１０より搬入されて払い出されるアスファルト混合物を順次敷き均して転圧させて舗装処理するようにしている。また、搬送車両１０の運転手、及び各舗装現場９の現場管理者１９には、少なくともＱＲコード読み取り機能とインターネット通信機能とを有する、例えば、スマートフォンやノートパソコン、タブレットパソコン等、適宜の携帯端末２０、２１をそれぞれ所持・携帯させておく。
【００２５】
なお、前記第一のＱＲコード１３を適宜の携帯端末にて読み取り操作すると、自動的にインターネット回線１２を介して出荷管理装置４のコンピュータ本体５にアクセスを行い、記憶部に記憶格納されている電子納品伝票１１と、第二のＱＲコード１４、及び出荷先の舗装現場９までの案内用の地図データ１７とを取得するように、また前記第二のＱＲコード１４を適宜の携帯端末にて読み取り操作すると、出荷管理装置４から電子納品伝票１１と、認証コード１５、及び計量実績データ１６とを取得するように、各ＱＲコード１３、１４にそれぞれプログラムを記録している。
【００２６】
次に、上記システムによるアスファルト混合物製造工場から出荷先の舗装現場へ製品を納品する際の納品管理方法を説明する。
【００２７】
先ず、図１に示されるように、アスファルト混合物製造工場１の出荷管理装置４には、各舗装現場９への製品の製造・出荷スケジュールを予め設定登録しておき、プラント本体２ではこの製造・出荷スケジュールに基づいて製品であるアスファルト混合物を製造し、搬送車両１０に順次払い出して出荷先の各舗装現場９に向けて出荷していくと共に、出荷管理装置４では製造・出荷した製品に関する電子納品伝票１１、コンピュータ本体５へのＵＲＬ情報が記録された第一のＱＲコード１３及び第二のＱＲコード１４、納品確認用の認証コード１５を発行し、計量実績データ１６や、出荷先の舗装現場９までの地図データ１７等と併せてコンピュータ本体５に記憶格納する一方、第一のＱＲコード１３は搬送車両１０の運転手が参照可能な適宜のモニターに表示させる。
【００２８】
次いで、製品を積み込んだ搬送車両１０の運転手は、携帯する携帯端末２０にて前記第一のＱＲコード１３を読み取り、ＱＲコードに記録されたプログラムによって、インターネット回線１２を介して出荷管理装置４のコンピュータ本体５にアクセスして記憶部に記憶格納されている電子納品伝票１１と、第二のＱＲコード１４、及び出荷先の舗装現場９までの地図データ１７を取得して携帯端末２０に記憶させ、運転手は前記地図データ１７を参照しながら出荷先の舗装現場９へ製品を出荷していく。
【００２９】
一方、搬送車両１０が出荷先の舗装現場９に到着すると、積載した製品を払い出して現場に敷き均し、待機中の転圧機１８等にて転圧して舗装処理していく。このとき、舗装現場９の現場管理者１９は、搬送車両１０の運転手が所持する携帯端末２０の表示画面上に表示される第二のＱＲコード１４を、自身が携帯する携帯端末２１にて読み取り、インターネット回線１２を介して遠隔の出荷管理装置４に記憶格納されている電子納品伝票１１と、納品確認用の認証コード１５´、及び納品した製品に関する計量実績データ１６を取得して携帯端末２１に記憶させ、必要に応じて携帯端末２１の表示画面上に電子納品伝票１１や、計量実績データ１６等を表示させて参照し、納品された製品の品質確認を行う。
【００３０】
そして、舗装現場９への製品の納品作業が完了すると、図２に示されるように、現場管理者１９は取得した認証コード１５´を、例えば、運転手の携帯端末２０の表示画面上に表示される認証コード入力欄等に入力操作し、運転手の携帯端末２０に認証コード１５´を記憶させる。そして、納品を終えてアスファルト混合物製造工場１に帰着した搬送車両１０の運転手が、携帯端末２０に記憶させた前記認証コード１５´を出荷管理装置４のキーボード７等から入力操作すると、出荷管理装置４では製造・出荷時にコンピュータ本体５に記憶格納していたオリジナルの認証コード１５と照合し、もし一致していれば誤納等もなく確実に出荷先の舗装現場９に納品を行えたものと判断するなどして納品の完了確認を行う。
【００３１】
このように、本発明によれば、アスファルト混合物製造工場にて製造・出荷した製品の納品管理に伴う一連の作業を、ＱＲコードと携帯端末を利用することにより、誤納等の間違いも少なく簡略化することもできて人的負荷を軽減でき、作業能率の向上が期待できる。
【符号の説明】
【００３２】
１…アスファルト混合物製造工場      ２…アスファルトプラント本体
４…出荷管理装置                    
５…コンピュータ本体（Ｗｅｂサーバ）
９…舗装現場                        １０…搬送車両
１１…電子納品伝票                  １２…インターネット回線
１３…第一のＱＲコード              １４…第二のＱＲコード
１５、１５´…認証コード（納品確認用）
１６…計量実績データ                １７…地図データ
１９…現場管理者                    ２０、２１…携帯端末
【図１】
2013045171.tif 000003
【図２】
2013045171.tif 000004